(57)【要約】【課題】水槽内面の前面側の上部に付着した洗剤や汚れを除去する。【解決手段】水槽３内に前上がりに傾斜した回転軸４ａによって回転可能に設けられたドラム４と、ドラムを回転駆動するモータ９と、水槽に給水する給水装置１０と、水槽内の洗濯水を排水する排水装置２２と、洗い、すすぎ、脱水の各工程を制御する制御手段２３とを備え、給水装置は、ドラムの外周上面に向けて注水する噴出口１５を有し、噴出口から注水しドラムの外周上面に衝突した水が水槽の内面上部の前方へ反射するようにしたものである。【選択図】図１
2013085798.tif 000002
【特許請求の範囲】
【請求項１】
筐体内に弾性支持された水槽と、前記水槽内に前上がりに傾斜した回転軸によって回転可能に設けられたドラムと、前記ドラムを回転駆動するモータと、前記水槽に給水する給水装置と、前記水槽内の洗濯水を排水する排水装置と、洗い、すすぎ、脱水の各工程を制御する制御手段とを備え、前記給水装置は、前記ドラムの外周上面に向けて注水する噴出口を有し、前記噴出口から注水し前記ドラムの外周上面に衝突した水が前記水槽の内面上部の前方へ反射するようにしたドラム式洗濯機。
【請求項２】
給水装置は、噴出口をドラムの外周上面の頂部に対向して設け、前記ドラムの前面側に設けた開口部寄りに配設した請求項１記載のドラム式洗濯機。
【請求項３】
給水装置は、噴出口を複数の小孔を横並び状に設け、前記噴出口の並び方向をドラムの回転軸と略直交する方向に配設した請求項１または２記載のドラム式洗濯機。
【請求項４】
給水装置は、噴出口を細長いスリット状に形成し、前記噴出口の長手方向をドラムの回転軸と略直交する方向に配設した請求項１または２記載のドラム式洗濯機。
【請求項５】
給水装置は、噴出口から注水した水がドラムの外周上面に当たる入水角度を、前記ドラムの外周面の傾斜角度以下となるように設定した請求項１〜４のいずれか１項に記載のドラム式洗濯機。
【請求項６】
ドラム内に乾燥用空気を供給する送風手段と、洗い、すすぎ、脱水、乾燥の各工程を制御する制御手段を設け、前記ドラム内で洗濯物を乾燥させる乾燥機能を備えた請求項１〜５のいずれか１項に記載のドラム式洗濯機。
【発明の詳細な説明】
【技術分野】
【０００１】
本発明は、衣類等の洗濯物を洗うドラム式洗濯機に関するものである。
【背景技術】
【０００２】
従来、この種のドラム式洗濯機は、回転可能なドラムを収容する水槽内に洗剤を溶解させた洗濯水を溜め、ドラムに投入された洗濯物を洗濯水で濡らしながらドラムを回転させて、濡れた洗濯物をドラム内の上方から下方へ落下させる、所謂叩き洗いによって洗濯がおこなわれるようにしている。このとき、水槽内に溜められた洗濯水は、ドラムの回転によってドラムとの隙間を上方へ持ち上げられるため、洗濯水中の汚れや洗剤の一部がドラムの外面および水槽の内面に付着する。
【０００３】
水槽内面の上部に付着した汚れや洗剤は、洗い工程を含めた以降の洗濯工程中で、洗い流される機会がなく、洗濯後も付着した状態となる。したがって、これらの付着した汚れや洗剤は、時間の経過とともに雑菌やカビ等が発生する原因となり、また、異臭の原因となる。
【０００４】
そこで、給水動作とドラムの高速回転動作を同時におこない、高速で回転しているドラムの外周面に直接当たるように給水し、飛散した水で水槽内面の汚れを洗い流すようにすることが考えられている（例えば、特許文献１参照）。
【０００５】
図９は、特許文献１に記載された従来のドラム式洗濯機の概略構成図である。上面に開閉自在な上蓋５１を設けた筐体５２内に水槽５３を設け、水槽５３内にドラム５４を回転可能に設けている。衣類等の洗濯物は、上蓋５１を開きドラム５４の開口部（図示せず）からドラム５４内に投入される。洗濯水は、給水弁５５から給水ホース５６を経て給水口５７よりドラム５４の外面に当たりながら注水され、所定量の洗濯水が水槽５３の底部に溜められる。
【０００６】
水槽５３の内面およびドラム５４の外周面を洗浄する槽洗浄時は、給水弁５５を開いて給水口５７から給水するとともに、ドラム５４を脱水時と同じ回転数で高速回転させる。水槽５３内で給水とドラム５４の高速回転をおこなうことにより、給水された水をドラム５４の回転で飛散させて、水槽５３の内面に衝突させる。この水の衝突により、水槽５３の内面やドラム５４の外周面に付着している洗剤や汚れが除去されるようにしたものである。
【先行技術文献】
【特許文献】
【０００７】
【特許文献１】特開平４−１２２２９２号公報
【発明の概要】
【発明が解決しようとする課題】
【０００８】
しかしながら、前記従来の構成では、ドラムの高速回転により飛散した水は、広い範囲に分散されて汚れを洗い落とすエネルギーが小さくなり、洗浄効果が悪いという問題があった。また、洗濯物の投入口が筐体の前面側に設けられ、ドラムの回転軸が前上がりに傾斜している場合は、水槽内面の前面側の上部に水が当たりにくく、この部分に付着した汚れは、洗い流すことが難しいという問題があった。
【０００９】
本発明は、前記従来の課題を解決するもので、水槽内面の前面側の上部に付着した洗剤
や汚れを除去し、清浄に保つことができるドラム式洗濯機を提供することを目的とする。
【課題を解決するための手段】
【００１０】
前記従来の課題を解決するために、本発明のドラム式洗濯機は、水槽内に前上がりに傾斜した回転軸によって回転可能に設けられたドラムと、前記ドラムを回転駆動するモータと、前記水槽に給水する給水装置と、前記水槽内の洗濯水を排水する排水装置と、洗い、すすぎ、脱水の各工程を制御する制御手段とを備え、前記給水装置は、前記ドラムの外周上面に向けて注水する噴出口を有し、前記噴出口から注水し前記ドラムの外周上面に衝突した水が前記水槽の内面上部の前方へ反射するようにしたものである。
【００１１】
これによって、ドラムの外周上面に向けて注水した水は、ドラムの外周上面に衝突して水槽の内面上部の前方へ跳ね返り、水槽内面の取れにくい部分に付着した洗剤や汚れを洗い流すことができる。
【発明の効果】
【００１２】
本発明のドラム式洗濯機は、水槽内面の前面側の上部に付着した洗剤や汚れを除去することができ、水槽の内面を清浄に保つことができる。
【図面の簡単な説明】
【００１３】
【図１】本発明の実施の形態１におけるドラム式洗濯機の概略構成図
【図２】同ドラム式洗濯機のドラムの前面側から見た要部断面図
【図３】同ドラム式洗濯機の噴出口の構成図
【図４】同ドラム式洗濯機の他の例の噴出口の構成図
【図５】同ドラム式洗濯機の要部断面図
【図６】同ドラム式洗濯機の動作を示すタイムチャート
【図７】本発明の実施の形態２におけるドラム式洗濯機の要部断面図
【図８】本発明の実施の形態３におけるドラム式洗濯機の動作を示すタイムチャート
【図９】従来のドラム式洗濯機の概略構成図
【発明を実施するための形態】
【００１４】
第１の発明は、筐体内に弾性支持された水槽と、前記水槽内に前上がりに傾斜した回転軸によって回転可能に設けられたドラムと、前記ドラムを回転駆動するモータと、前記水槽に給水する給水装置と、前記水槽内の洗濯水を排水する排水装置と、洗い、すすぎ、脱水の各工程を制御する制御手段とを備え、前記給水装置は、前記ドラムの外周上面に向けて注水する噴出口を有し、前記噴出口から注水し前記ドラムの外周上面に衝突した水が前記水槽の内面上部の前方へ反射するようにしたことにより、ドラムの外周上面に向けて注水した水は、ドラムの外周上面に衝突して水槽の内面上部の前方へ跳ね返り、水槽内面の取れにくい部分に付着した洗剤や汚れを洗い流すことができる。また、水槽内にドラムを前上がりに傾斜させて設けると、水槽上部の前方は、水槽の底部からの距離が遠く、ドラムの回転によってかき上げられる水が届きにくい場合でも、水槽の内面上部の前方の取れにくい部分に付着した洗剤や汚れを除去することができる。
【００１５】
第２の発明は、特に、第１の発明の給水装置は、噴出口をドラムの外周上面の頂部に対向して設け、前記ドラムの前面側に設けた開口部寄りに配設したことにより、水槽内面の上部前方の汚れの取れにくい部分の近くから水を注水することができ、水が当たる勢いを強めて汚れ落ちをよくすることができる。
【００１６】
第３の発明は、特に、第１または第２の発明の給水装置は、噴出口を複数の小孔を横並び状に設け、前記噴出口の並び方向をドラムの回転軸と略直交する方向に配設したことにより、単位流束あたりの運動エネルギーを大きくすることができるとともに、ドラムの回
転軸に対して左右方向へ略均等に水を吐出させることができるようになり、ドラムの外周面で跳ね返った水を水槽の内面上部の前方へ左右方向に略均等に当てることができ、広い範囲に付着した汚れを強い力で効果的に洗い流すことができる。
【００１７】
第４の発明は、特に、第１または第２の発明の給水装置は、噴出口を細長いスリット状に形成し、前記噴出口の長手方向をドラムの回転軸と略直交する方向に配設したことにより、単位流束あたりの運動エネルギーを大きくすることができ、かつ、噴出口が洗剤カスやリント等で詰まりにくくすることができるとともに、ドラムの回転軸に対して左右方向へ略均等に水を吐出させることができるようになり、ドラムの外周面で跳ね返った水を水槽の内面上部の前方へ左右方向に略均等に当てることができ、広い範囲に付着した汚れを強い力で効果的に洗い流すことができる。
【００１８】
第５の発明は、特に、第１〜第４のいずれか１つの発明の給水装置は、噴出口から注水した水がドラムの外周上面に当たる入水角度を、前記ドラムの外周面の傾斜角度以下となるように設定したことにより、ドラムの外周上面に衝突した水を水槽内面の上部前方へ的確に跳ね返すことができ、水槽の内面上部の前方に付着した汚れを効果的に洗い流すことができる。
【００１９】
第６の発明は、特に、第１〜第５のいずれか１つの発明において、ドラム内に乾燥用空気を供給する送風手段と、洗い、すすぎ、脱水、乾燥の各工程を制御する制御手段を設け、前記ドラム内で洗濯物を乾燥させる乾燥機能を備えたことにより、洗濯の終わった洗濯物を続けて乾燥させた場合でも、乾燥運転を実行する前に水槽の内面に付着した洗剤や汚れを除去することができ、乾燥運転によって汚れ物質の固着を防止することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるドラム式洗濯機の概略構成図、図２は、同ドラム式洗濯機のドラムの前面側から見た噴出口の位置を示す要部断面図、図３は、同ドラム式洗濯機の噴出口の構成図、図４は、同ドラム式洗濯機の他の例の噴出口の構成図、図５は、同ドラム式洗濯機の要部断面図、図６は、同ドラム式洗濯機の動作を示すタイムチャートである。
【００２２】
図１〜図６において、筐体１内にダンパ２等で弾性支持した水槽３が設けられている。水槽３内には有底円筒状のドラム４が回転可能に設けられ、その回転軸４ａは角度θ（例えば、５〜２０度）で前上がりに傾斜している。ドラム４の内周側面には回転軸４ａ方向であるドラム４の回転中心に向かって内方へ突出させた複数のバッフル５と、水槽３内と連通する多数の小孔６が設けられ、前面側には衣類等の洗濯物を出し入れする開口部７が設けられている。開口部７の周囲には、ドラム４が回転する際に洗濯物の偏り等によって発生する振動を低減するためのバランサ８が設けてあり、開口部７を取り囲むように環状に形成している。
【００２３】
水槽３の後面にドラム４を回転駆動するモータ９が取り付けられている。モータ９はブラシレス直流モータで構成され、インバータ制御によって回転速度が自在に変化させることができるようになっている。
【００２４】
水槽３内に洗濯水を給水する給水装置としての給水弁１０は、給水路１１中に設けた洗剤を投入する洗剤投入ケース１２を通して注水口１３から水槽３内に給水し、水槽３内に供給された洗濯水は小孔６からドラム４内に流入する。注水口１３は、給水路１１ａの一
端を水槽３の上部に接続した出口部に設けられ、ドラム４の後面側で水槽３内と連通している。
【００２５】
洗剤投入ケース１２と水槽３を連通する給水路１１ａに分岐弁１４を設けている、給水弁１０から給水路１１を通して水槽３内に供給される洗濯水は、洗剤投入ケース１２の下流側に設けた分岐弁１４によって水槽３と連通する給水路１１ａが切り替えられ、注水口１３と噴出口１５のいずれか一方から水槽３内に供給される。
【００２６】
噴出口１５は、ドラム４の回転軸４ａを通る略鉛直線イ上に設けてあり、この鉛直線イ上に位置するドラム４の外周上面の頂部４ｂに対向して水槽３に設けられている。また、噴出口１５は、ドラム４の前面から後面までの深さ方向に対して、前面側に設けた開口部７寄りに配設されるとともに、ドラム４の外周上面に向かって注水するように設けられている。
【００２７】
噴出口１５から注水した水は、ドラム４の外周上面の頂部４ｂを中心に衝突して、水槽３の内面上部の前方（ロ部）へ反射するように形成している（矢印ハ）。噴出口１５が水槽３の内面上部の前方（ロ部）に近いため、ロ部に付着している洗剤や汚れを勢いよく洗い流すことができる。
【００２８】
また、噴出口１５は、小孔１５ａを横並び状に複数個設け、図２のように、小孔１５ａの並び方向をドラムの４の回転軸４ａと略直交する方向、すなわち、ドラム４の開口部７側から見て左右方向に配設している。図４は、噴出口１５の他の例を示したもので、細長いスリット１５ｂ状に形成し、スリット１５ｂの長手方向をドラム４の回転軸４ａと略直交する方向、すなわち、ドラム４の開口部７側から見て左右方向に配設している。
【００２９】
なお、噴出口１５は、小孔１５ａまたはスリット１５ｂのいずれであっても、ドラム４の外周面に沿って円弧状に設けると、ドラム４の外周面までの距離を略同等にすることができ、衝突した水を水槽３の内面上部の前方（ロ部）へ均等に反射させることができる。
【００３０】
水槽３内の洗濯水は、循環水路１６に設けた循環ポンプ１７によってドラム４内へ循環させることができる。水槽３の底部に循環水路１６と連通した洗濯水を吸い込む吸い込み部１８を設け、ドラム４の前面側に設けた開口部７の下部に、ドラム４内に向けて洗濯水が吐出されるように吐出部１９を設けている。
【００３１】
循環水路１６には、循環ポンプ１７の上流側、すなわち、吸い込み部１８と循環ポンプ１７の間に開閉弁２０を設けている。また、吸い込み部１８と開閉弁２０の間の循環水路１６に排水路２１を接続し、排水路２１には排水装置としての排水弁２２を設け、水槽３内の洗濯水を機外へ排水可能に構成している。
【００３２】
循環ポンプ１７を駆動して、水槽３内の洗濯水を吐出部１９からドラム４内に吐出させるときは、排水弁２２を閉じて開閉弁２０を開くことによって、水槽３内の洗濯水を吸い込み部１８から循環水路１６内に吸い込み、吐出部１９からドラム４内に吐出し循環させることができる。
【００３３】
筐体１内に設けた制御手段２３は、モータ９、給水弁１０、分岐弁１４、循環ポンプ１７、開閉弁２０、排水弁２２等を駆動し、洗い、すすぎ、脱水等の各工程を制御する。
【００３４】
なお、筐体１の前面に設けた開閉自在な扉２４を開くことにより、ドラム４の前面側に設けた開口部７から洗濯物を出し入れすることができる。
【００３５】
以上のように構成されたドラム式洗濯機について、以下その動作、作用を説明する。洗濯工程は、洗い工程、すすぎ工程、脱水工程を含み、これらの工程が順次実行される。乾燥機能を備えたドラム式洗濯乾燥機の場合は、脱水工程に続けて乾燥工程を実行し、洗った洗濯物を乾燥させることが可能である。
【００３６】
筐体１の前面側に開閉自在に設けた扉２４を開いて開口部７からドラム４内に洗濯物を投入し、筐体１の上面前部に設けた操作部２５の電源スイッチ（図示せず）をオンし、スタートスイッチ（図示せず）を操作して運転を開始すると、ドラム４内に投入された洗濯物の量を検知する布量検知手段（図示せず）によって洗濯物の量が検知され、洗濯物の量に応じて設定された所定量の水が給水される。
【００３７】
給水弁１０から給水路１１を通って洗剤投入ケース１２に入った洗濯水は、洗剤投入ケース１２の中の洗剤を溶かして給水路１１ａから注水口１３側に切り替えられた分岐弁１４を通り、ドラム４の後面側に設けられた注水口１３から水槽３内に供給される。水槽３内に供給された洗濯水は小孔６からドラム４内に流入する。このとき、開閉弁２０と排水弁２２は閉じられている。
【００３８】
所定量の洗濯水が給水されると、モータ９によってドラム４を回転駆動するとともに、循環ポンプ１７を駆動し、水槽３の底部に溜まった洗剤の溶解した洗濯水を吸い込み部１８から循環水路１６に吸い込んで、吐出部１９からドラム４内に向けて吐出する。ドラム４内で撹拌されている洗濯物に洗濯水を降りかけて濡らした後、ドラム４の回転によって洗濯物が叩き洗いされる回転数、例えば、４５ｒｐｍで正逆回転駆動して撹拌し、洗い工程を実行する。
【００３９】
図６は、洗い工程からすすぎ工程までの動作を示すタイムチャートである。ここでは、洗い工程における、ドラム４が正転と反転を繰り返しながら洗濯水で十分濡れた洗濯物の攪拌および排水と、すすぎ工程の動作を示している。
【００４０】
洗い工程で攪拌動作がおこなわれているときは、洗濯物の汚れを含んだ洗濯水は、ドラム４の回転とともに水槽３の上部まで持ち上げられ、水槽３の内面に付着した状態となる。攪拌動作が終了すると、開閉弁２０を閉じるとともに排水弁２２を開いて、水槽３内の洗濯水が排出される。
【００４１】
このとき、分岐弁１４が噴出口１５側へ切り替えられるとともに、給水弁１０を開いて清浄な水を、給水路１１を通って洗剤投入ケース１２、給水路１１ａ、分岐弁１４を経て噴出口１５から注水する。噴出口１５から注水した水は、ドラム４の外周上面に衝突し、跳ね返った水によって水槽３の内面上部の前方に付着した洗剤や汚れを洗い流すことができる。ドラム４は、回転または静止のいずれの状態であってもよい。
【００４２】
また、排水弁２２が開いているため、水槽３の底部に溜まっていた洗濯水とともに、水槽３の内面上部の前方を洗い流した水も、排水弁２２を経て排水路２１から機外へ排出され、以後の工程でドラム４内の洗濯物に対する再汚染を防止することができる。
【００４３】
また、洗い工程の攪拌動作終了後、水槽３内の洗濯水の排水を開始してから噴出口１５より注水を開始するようにしてあり、給水弁１０は、排水弁２２が開かれてから所定時間Ｔ１後に開くようにしている。排水弁２２を開くことによって水槽３内の洗濯水が排水され、ある程度水位が低下してから給水弁１０を開くことによって、噴出口１５から注水した水によって水槽３内の水位の上昇を防ぐことができ、洗い工程で汚れを含んだ洗濯水の水位の上昇によって、洗い工程終了時の水槽３内の水位より上方の水槽３内面への汚れの付着を防止するとともに、ドラム４内への洗濯水の流入による洗濯物の再汚染を防止する
ことができる。
【００４４】
また、排水弁２２が開かれてから所定時間Ｔ１後に給水弁１０を開くことにより、水槽３内の水位の上昇させることなく、噴出口１５から水を勢いよく注水することができ、水槽３の内面上部の前方の汚れを効果的に洗い流すことができる。
【００４５】
また、噴出口１５からの注水のタイミングは、水槽３内の洗濯水の排水動作が進み、水槽３内の洗濯水がドラム４と接触しなくなった後に噴出口１５から注水することが好ましく、特に、ドラム４を回転させながら噴出口１５から注水する場合は、洗濯水の抵抗がなく、より高速の回転数でドラム４を回転させることが可能となり、回転しているドラム４と、噴出口１５から注水した水が衝突した際に跳ね返る範囲が拡がり、広い範囲の水槽３の内面上部の前方の汚れを洗い流すことができる。
【００４６】
洗い工程の排水終了後は、ドラム４を高速で回転させる中間脱水を経て、すすぎ工程へ移行する。すすぎ工程でのすすぎ水の注水動作は、洗い工程の開始時と同様に、注水口１３から水槽３内へ給水されるように分岐弁１４を切り替える。
【００４７】
なお、洗い工程の途中で追加給水がおこなわれ場合には、分岐弁１４によって給水路１１ａを注水口１３側に切り替えることが好ましく、洗濯水が速やかに水槽３の底部に到達し、吐出部１９から循環水としてドラム４内へ吐出させることができる。
【００４８】
以上のように、本実施の形態においては、筐体１内に弾性支持された水槽３と、水槽３内に前上がりに傾斜した回転軸４ａによって回転可能に設けられたドラム４と、ドラム４を回転駆動するモータ９と、水槽３に給水する給水装置１０と、水槽３内の洗濯水を排水する排水装置２２と、洗い、すすぎ、脱水の各工程を制御する制御手段２３とを備え、給水装置１０は、ドラム４の外周上面に向けて注水する噴出口１５を有し、噴出口１５から注水しドラム４の外周上面に衝突した水が水槽３の内面上部の前方へ反射するようにしたものであり、ドラム４の外周上面に向けて注水した水は、ドラム４の外周上面に衝突して水槽３の内面上部の前方へ跳ね返り、水槽３内面の取れにくい部分に付着した洗剤や汚れを洗い流すことができる。また、水槽３内にドラム４を前上がりに傾斜させて設けると、水槽３上部の前方は、水槽３の底部からの距離が遠く、ドラム４の回転によってかき上げられる水が届きにくい場合でも、水槽３の内面上部の前方の取れにくい部分に付着した洗剤や汚れを除去することができる。
【００４９】
なお、ドラム４内に乾燥用空気を供給する送風手段と、洗い、すすぎ、脱水、乾燥の各工程を制御する制御手段を設け、ドラム４内で洗濯物を乾燥させる乾燥機能を備えた構成とした場合は、洗濯した洗濯物を続けて乾燥させることができるとともに、乾燥運転を実行する前に水槽３の内面に付着した洗剤や汚れを除去することができ、乾燥運転によって水槽３の内面が加熱されることによる汚れ物質の固着を防止することができる。
【００５０】
また、洗い工程後の中間脱水時に噴出口１５から水を注水するようにしてあり、給水弁１０は、洗い工程の排水後に実行される中間脱水に移行してから所定時間Ｔ２開放し、噴出口１５から水を注水する。これにより、ドラム４の高速回転時に水を吐出させてドラム４の外周上面に衝突させることができ、水槽３内面の上部前方への跳ね返りを強くして、水槽３の内面上部の前方に付着して間のない汚れを効果的に洗い流すことができる。
【００５１】
（実施の形態２）
図７は、本発明の第２の実施の形態におけるドラム式洗濯機の要部断面図である。本実施の形態の特徴は、噴出口１５から注水した水が、ドラム４の外周上面に当たる入水角度∠Ａを、ドラム４の外周面の傾斜角度∠Ｂ以下となるように設定したものである。他の構
成は実施の形態１と同じであり、同一の構成に同一の符号を付して、詳細な説明は実施の形態１のものを援用する。
【００５２】
ドラム式洗濯機は、洗濯物の出し入れを容易におこなうことができ、かつ、少量の水で洗濯することができるように、ドラム４の回転軸４ａを角度θ（例えば、５〜２０度）で前上がりに傾斜させている。このため、水平軸に対するドラム４の外周面の傾斜角度∠Ｂよりも大きな入水角度で水がドラム４に当たっても、跳ね返った水を洗い流したい水槽３の前面上部（ロ部）に到達させることができない。
【００５３】
本実施の形態は、ドラム４の回転軸４ａを前上がりに傾斜させた構成において、噴出口１５から注水した水によって水槽３の前面上部（ロ部）を的確に洗浄することができるように、噴出口１５から注水した水（矢印ハ）がドラム４の外周上面に当たる入水角度∠Ａを、ドラム４の外周面の傾斜角度∠Ｂ以下としたものであり、ドラム４の外周上面に衝突した水を、水槽３内面の上部前方へ的確に跳ね返すことができ、水槽３の内面上部の前方に付着した汚れを効果的に洗い流すことができる。
【００５４】
なお、入水角度とは、図７に示すように、噴出口１５から注水した水の進行方向と、ドラム４の奥行き方向の外周上面との間で形成される角度のことである。
【００５５】
（実施の形態３）
図８は、本発明の第３の実施の形態におけるドラム式洗濯機の動作を示すタイムチャートである。本実施の形態の特徴は、すすぎ工程が複数回（例えば２回）おこなわれ、すすぎ工程間の排水時に噴出口１５から水を注水するようにしたものである。他の構成は実施の形態１と同じであり、同一の構成に同一の符号を付して、詳細な説明は実施の形態１のものを援用する。
【００５６】
すすぎ工程１は、洗い工程における排水後の中間脱水後におこなわれ、洗い工程の撹拌動作によって洗濯物から除去された汚れが洗濯水とともに排水され、さらに、中間脱水で洗濯物から汚れとともに洗濯水が除去された状態であり、この最初のすすぎ工程１の排水時に、排水弁２２が開かれるとともに、分岐弁１４を噴出口１５側に切り替える。
【００５７】
給水弁１０を開くことによって、噴出口１５から清浄な水がドラム４の外周上面に向かって注水され、ドラム４の外周上面に衝突した水を、水槽３内面の上部前方へ的確に跳ね返すことができ、水槽３の内面上部の前方に付着した汚れを効果的に洗い流すことができる。
【００５８】
また、すすぎ工程後、より具体的には、すすぎ工程の撹拌動作後に、水槽３内の洗濯水の排水を開始してから噴出口１５から注水するようにしてあり、給水弁１０は、排水弁２２が開かれてから所定時間Ｔ３後に開くようにしている。排水弁２２を開くことにより水槽３内の洗濯水が排水され、ある程度水位が低下してから給水弁１０を開くことにより、噴出口１５から注水した水によって水槽３内の水位の上昇を防止することができる。
【００５９】
また、すすぎ工程後の中間脱水時に噴出口１５から注水するようにしてあり、給水弁１０は、すすぎ工程１の排水に続いて実行される中間脱水に移行してから所定時間Ｔ４開放し、噴出口１５から水を注水する。これにより、ドラム４の高速回転時に水を吐出させてドラム４の外周上面に衝突させることができ、水槽３内面の上部前方への跳ね返りを強くして、水槽３の内面上部の前方に付着した汚れを効果的に洗い流すことができる。
【産業上の利用可能性】
【００６０】
以上のように、本発明にかかるドラム式洗濯機は、水槽内面の前面側の上部に付着した
洗剤や汚れを除去することができ、水槽の内面を清浄に保つことができるので、ドラム式洗濯機として有用である。
【符号の説明】
【００６１】
１  筐体
３  水槽
４  ドラム
４ａ  回転軸
９  モータ
１０  給水弁（給水装置）
１５  噴出口
２２  排水弁（排水装置）
２３  制御手段
【図１】
2013085798.tif 000003
【図２】
2013085798.tif 000004
【図３】
2013085798.tif 000005
【図４】
2013085798.tif 000006
【図５】
2013085798.tif 000007
【図６】
2013085798.tif 000008
【図７】
2013085798.tif 000009
【図８】
2013085798.tif 000010
【図９】
2013085798.tif 000011